(57)【特許請求の範囲】
【請求項１】
ねじ結合によって固定面（５）に、アンテナロッド（３５）を有するロッド状アンテナ（１）を固定するための装置であって、ロッド状アンテナ（１）のアンテナ脚部（１０）がねじ山（１５）を有している形式のものにおいて、
アンテナ脚部（１０）に回転可能な滑りクラッチ（２０）が設けられており、該滑りクラッチ（２０）の回転運動により、ねじ山（１５）の回転が行われるように滑りクラッチ（２０）がねじ山（１５）と協働しており、アンテナ脚部（１０）の回転体（３０）が滑りクラッチ（２０）を弾性的に取り囲んでいて、滑りクラッチ（２０）が回転体（３０）に接触可能な２つの歯面を有する歯（５５）を備え、ロッド状アンテナ（１）のアンテナロッド（３５）をねじ山（１５）を介して固定面（５）に固定するための回転体（３０）の回転運動時に滑りクラッチ（２０）は前記２つの歯面の一方の歯面において回転体（３０）に係合し、固定面（５）に固定されたアンテナロッド（３５）をねじ山（１５）を介して固定解除するための回転体（３０）の回転運動時に回転体（３０）は前記２つの歯面の他方上を滑動することを特徴とする、ロッド状アンテナを固定するための装置。
【請求項２】
滑りクラッチ（２０）がねじ山（１５）に対して同心的にアンテナ脚部（１０）に設けられていて、滑りクラッチ（２０）が回転軸（２５）を介してねじ山（１５）に堅固に結合されている、請求項１記載の装置。
【請求項３】
滑りクラッチ（２０）が機械的なばね部材（４０）によって弾性的に取り囲まれる、請求項１又は２記載の装置。
【請求項４】
回転体（３０）が滑りクラッチ（２０）の領域で、滑りクラッチ（２０）に接触する弾性的な材料を有している、請求項１から３までのいずれか１項記載の装置。
【請求項５】
固定面（５）に固定されたアンテナロッド（３５）を固定解除するための、回転体（３０）の回転運動の際に、回転体（３０）がクランプ工具、特にペンチによって、滑りクラッチ（２０）に対して押し付け可能であって、これにより滑りクラッチ（２０）が回転体（３０）によって連行される、請求項４記載の装置。
【請求項６】
アンテナロッド（３５）がねじ山（１５）に対して同心的に配置されていて、アンテナロッド（３５）が回転軸（２５）を介してねじ山（１５）に堅固に結合されている、請求項１から５までのいずれか１項記載の装置。
【発明の詳細な説明】
【０００１】
背景技術
本発明は、請求項１の上位概念に記載の形式のロッド状アンテナを固定するための装置に関する。
【０００２】
未公開のドイツ連邦共和国特許出願整理番号第１９７２２３７２．９号明細書により既に公知のアンテナのための固定装置では、アンテナ脚部がねじボルトを有しており、アンテナ脚部が固定面にロックナットによって固定可能である。
ドイツ連邦共和国実用新案第２９７０５３０８号明細書により公知の自動車のための短いロッド状アンテナでは、アンテナロッドが、接着剤を有するねじ結合装置を介して解離不能にロックに結合される。このロックは例えばキーのためのシリンダ挿入部を有している。ロックは、アンテナロッドとは反対の側で係止ピンのための差込開口を有している。係止ピンはこの差込開口に挿入可能な端部で、ロックボルトが係合するための、周囲溝として形成された切欠を有している。ロックボルトは差込開口の領域に配置されていて、係止状態で前記周囲溝に係合する。係止ピンは、アンテナベースに面した端部でねじ山区分を有しており、ひいては対応するアンテナベースのねじ山孔にねじ込み可能である。ねじ山区分とねじ山孔との間のこのようなねじ結合も接着剤によって位置固定することができる。アンテナロッドは、ロックに適合するキーを使用してロックと係止ピンとの間の係止を解除することによってしかアンテナベースから解除されない。
米国特許第５６４２９７２号明細書により一方向のねじ結合装置が公知である。このねじ結合装置は手動で操作されるが、解除のためには工具が必要である。このためにねじの上に回転つまみが被せられている。回転つまみとねじとの間には一方向のラチェットが設けられている。このラチェットによりねじをつまみで時計回りに回して締めることができる。反時計回りに回転する際には、ラチェットによってねじの解除が防止されているので、ねじを解除するためには工具が必要である。
【０００３】
発明の効果
これに対して請求項１の特徴を有する本発明による装置は、アンテナ脚部に回転可能な滑りクラッチが設けられていて、該滑りクラッチは、該滑りクラッチの回転運動によりねじ山の回転が行われるようにねじ山と協働しており、アンテナ脚部の回転体が滑りクラッチを弾性的に取り囲んでいて、これにより、ロッド状アンテナのアンテナロッドをねじ山を介して固定面に固定するための、回転体の回転運動の際に、滑りクラッチは回転体によって連行され、固定面に固定されたアンテナロッドのねじ山を介した固定解除のための、回転体の回転運動の際に、回転体が滑りクラッチ上を滑動するという利点を有している。このようにしてアンテナロッドは不法な取り外しが防止されている。何故ならばアンテナロッドの固定解除は回転体の回転運動によって簡単に行うことはできず、付加的にクランプ工具を使用する必要があるからである。
【０００４】
請求項２以下に記載の装置により、請求項１に記載した装置の有利な別の構成および改良形が得られる。
【０００５】
特に有利には、回転体が滑りクラッチの領域で、滑りクラッチに接触する弾性的な材料を有している。このようにして、付加的な材料コストをかけずに滑りクラッチを回転体によって特に簡単に弾性的に取り囲むことができる。これにより、固定面にアンテナロッドを固定する際に、回転体による滑りクラッチのガイドのために、例えば機械的なばね部材のような付加的な構成部分は必要ない。従ってコストを削減できる。
【０００６】
次に図面につき本発明の実施例を詳しく説明する。
【０００７】
図１には、アンテナロッド３５を備えたロッド状アンテナが符号１で示されている。アンテナロッド３５はねじ山１５に対して同心的に配置され、回転軸２５を介してねじ山１５に結合されている。ねじ山１５はこの場合、固定面５のねじ開口５０にねじ込むことができるねじボルト４５上に設けられている。これによりロッド状アンテナ１のアンテナロッド３５は固定面５に堅固にねじ締結することができる。固定面５はこの場合、例えば車両ボディの部分であってよい。しかし固定面５は、ロッド状アンテナのための別の任意の取り付け個所に位置していてもよい。ねじ山１５はロッド状アンテナ１のアンテナ脚部１０の部分である。アンテナ脚部１０は回転可能な滑りクラッチ２０を有している。この滑りクラッチ２０は、その回転運動によりねじ山１５の回転が行われるようにねじ山１５と協動する。このために例えば図１に示したように滑りクラッチ２０が、アンテナ脚部１０に、ねじ山１５に対して同心的に設けられていて、回転軸２５を介してねじ山１５に堅固に結合されている。アンテナ脚部１０はさらに回転体３０を有しており、該回転体３０は、ロッド状アンテナ１の、固定面５に面した部分で、回転軸２５に対して同心的にアンテナロッド３５を取り囲んでいる。滑りクラッチ２０はこの場合、回転体３０によって弾性的に取り囲まれている。
【０００８】
固定面５におけるロッド状アンテナ１の堅固なねじ締結は次のように実現される。
【０００９】
回転体３０が、アンテナロッド３５を固定面５にねじ締結するために必要な回転方向で回転される。この場合、回転体３０によって滑りクラッチ２０を弾性的に取り囲むことによって滑りクラッチ２０は回転体３０によって連行され、この滑りクラッチ２０が、ねじ山１５を有したねじボルト４５を、アンテナロッド３５を固定面５に堅固にねじ締結するために必要な方向で回転させる。ねじボルト４５はこのようにしてねじ開口５０に堅固にねじ締結される。ロッド状アンテナ１が固定面５に堅固にねじ締結されている場合には、ねじ開口５０からねじボルト４５を緩め、ひいては固定面５に固定されたアンテナロッド３５を固定解除するための一方の回転方向で回転体３０が回転運動することにより、滑りクラッチ２０上を回転体３０が滑動する。滑りクラッチ２０はこの場合、回転体３０によって連行されないので、ねじボルト４５が回転されてねじ開口５０から外れることもなく、ロッド状アンテナ１は引き続き固定面５に堅固にねじ締結されたままである。即ち固定面５からのロッド状アンテナ１の固定解除は、回転体３０によって取り囲まれていないアンテナロッド３５の個所において、ねじ山１５に回転軸２５を介して堅固に結合されているアンテナロッド３５を相応に回転運動させることにより可能である。しかしアンテナロッド３５の直径は、特に滑りクラッチ２０の領域の回転体３０の直径よりも著しく小さいので、固定面５からのロッド状アンテナ１の固定解除のためには大きな力をかけなければならない。固定面５からのロッド状アンテナ１のこのような解除の過程は、アンテナロッド３５が金属製の表面を有しており、例えば回転体３０のプラスチック表面のようにつかみやすくはないならば、さらに困難になる。
【００１０】
図２には第１実施例による滑りクラッチ２０を回転軸２５に対して垂直に断面した横断面図である。ここには回転体３０により滑りクラッチ２０が弾性的に取り囲まれた状態が図示されている。これは回転体３０が滑りクラッチ２０の領域で、滑りクラッチ２０に接触する弾性的な材料を有していることにより行われる。滑りクラッチ２０は環状の歯列５５を有しており、該歯列は、アンテナロッド３５を固定面５に堅固にねじ締結するための、図２に矢印で図示された回転方向に反して湾曲されている。回転体３０の弾性的な材料は、歯列５５の先端に接触している。固定面５にアンテナロッド３５を堅固にねじ締結するための回転方向で回転体３０が運動されると、歯列５５が回転体３０の弾性的な材料に係合して、滑りクラッチ２０がこの回転方向で回転体３０とともに連行される。これに対して、固定面５に堅固にねじ締結されたアンテナロッド３５を固定解除するための反対の回転方向で回転体３０が運動されると場合には、歯列５５は、回転体３０の弾性的な材料に係合することはない。それどころか回転体３０の弾性的な材料は歯列５５上を滑動する。何故ならば歯列５５が、固定面５からアンテナロッド３５を固定解除するための回転方向で正確に湾曲されているからである。クランプ工具、例えばペンチを使用することにより、滑りクラッチ２０の領域で回転体３０をこの滑りクラッチ２０に押し付けることができるので、固定面５に固定されたアンテナロッド３５を固定解除するための回転体３０の回転運動時でも、回転体３０が滑りクラッチ２０を連行し、このようにしてねじボルト４５がねじ開口５０から外されるように回転される。このようにして盗難防止が行われる。何故ならば、過度の力を加えずにロッド状アンテナ１を固定面５から取り外すためにはペンチが必要であるからである。他方ではこれにより、アンテナロッドが固定面５から固定解除されることが保証される。このことは例えば、アンテナロッド３５が故障し、取り換えなければならない場合に有利である。
【００１１】
図３には本発明による固定装置の第２の実施例が示されている。この場合、滑りクラッチ２０の弾性的な取り囲みは、機械的なばね部材４０によって行われている。この場合、滑りクラッチ２０は図２について説明したように形成され、同様に横断面で示されている。回転体３０は少なくとも滑りクラッチ２０の領域では弾性的な材料からではなく、例えば硬質のプラスチック被覆体から成っており、滑りクラッチ２０の接触していない。機械的なばね部材４０はそれぞれ１つのウエブ６５を有していて、このウエブ６５は回転ジョイント６０を介して回転可能に、回転体３０の内壁７０に結合されている。各ウエブ６５は付加的にばね７５によって内壁７０に結合されている。ばね７５はこの場合、それぞれ所属のウエブ６５の、固定面５にアンテナロッド３５を堅固にねじ締結するための回転体３０の回転方向に向けられた面に配置されている。この回転方向は図３に矢印で示されている。ウエブ６５は歯列５５の領域内にまで達している。回転体３０が、アンテナロッド３５を固定面５に堅固にねじ締結するための回転方向で運動されると、ウエブ６５が歯列５５に係合する。この場合、所属のばね７５は伸ばされる。ばね７５のばね力により、滑りクラッチ２０は回転体３０とともに連行回転される。これによりねじボルト４５はねじ開口５０内にねじ込まれ、固定面５にアンテナロッド３５が堅固にねじ締結される。固定面５にアンテナロッド３５が堅固にねじ締結されている場合に、回転体３０が、ねじ結合を解除するための回転方向で運動すると、ウエブ６５が滑りクラッチ２０の歯列５５によって内壁７０の方向に押され、これにより回転体３０は、ウエブ６５が歯列５５に係合することなく滑りクラッチ２０上を滑動する。
【００１２】
図２及び図３によれば滑りクラッチ２０にはそれぞれ８つの歯列５５が設けられている。この数は必要に応じて増減させることができる。図３によれば、各１つの歯５５に１つの機械的なばね部材４０が設けられている。しかしながら材料を節約するためにより少ない機械的なばね部材４０が設けられていてもよい。しかしながらこの場合、固定面５にアンテナロッド３５を堅固にねじ締結する際に、個々の機械的なばね部材４０にかかる負荷は高められる。
【００１３】
図４には本発明による固定装置のための第３実施例が示されている。この場合、滑りクラッチ２０の弾性的な取り囲みは、機械的な金属薄板ケージ８０としての機械的なばね部材によって行われる。滑りクラッチ２０はこの場合、図２及び図３に記載したように形成されていて、同様に横断面図で示されている。第２の実施例と同様に、回転体３０は図４の実施例では少なくとも滑りクラッチ２０の領域で弾性的な材料から成っているのではなく、例えば硬質のプラスチック被覆体から成っており、滑りクラッチ２０にも接触していない。回転体３０の内壁７０には、機械的な薄板ばねケージ８０が接触していて、滑りクラッチ２０を有している。機械的な薄板ばねケージ８０から４つのウエブ６５が、滑りクラッチ２０の歯列５５の領域に突入している。ウエブ６５はこの場合、機械的な金属薄板ばねケージ８０と一体に結合されていて、これと同様に金属薄板から成っている。ウエブ６５は弾性的に薄板ばねケージ８０に結合されていて、アンテナロッド３５を固定面５に堅固にねじ締結するための、図４に矢印で示した回転方向で内壁７０に向かって屈曲されている。これに対して滑りクラッチ２０の歯列５５はこの回転方向とは逆に湾曲されている。第２の実施例の説明によれば、回転体３０が、アンテナロッド３５を固定面５に堅固ねじ締結するために必要な回転方向で運動される際に、ウエブ６５が歯列５５に係合する。このようにして、滑りクラッチ２０と回転体とは連行回転され、これによりねじピン４５がねじ開口５０にねじ込まれ、アンテナロッド３５が固定面５に堅固にねじ締結される。アンテナロッド３５が固定面５に堅固にねじ締結された状態では、回転体３０が、ねじ締結を解除するための回転方向で運動されると、ウエブ６５が滑りクラッチ２０の歯列５５から内壁７０に向かって押し出され、これにより回転体３０の機械的な薄板ばねケージ８０が、ウエブ６５が歯列５５に係合することなしに、滑りクラッチ２０上を滑動する。第３実施例のウエブ６５の作用形式は従って、第２実施例の機械的なばね部材４０と同様である。この場合、図４の第３の実施例では、回転ジョイント６０とばね７５とを省略することができる。
【００１４】
図４によれば、滑りクラッチ２０の８つの歯列５５のもとで４つのウエブ６５が示されているので、各歯５５それぞれに１つのウエブ６５が設けられているわけではない。しかしながらこれより多くのまたはこれより少ないウエブ６５を設けることもできる。
【００１５】
回転体３０が、固定面５からアンテナロッド３５を固定解除するための回転方向で運動されるならば、回転体３０はこの回転方向で、アンテナロッド３５に対して回転可能であってもよい。何故ならば回転体３０はこの場合、滑りクラッチ２０上を滑動するからである。
【図面の簡単な説明】
【図１】  ロッド状アンテナを固定面に固定するための装置を備えたロッド状アンテナの断面図である。
【図２】  本発明による固定装置の第１実施例を示す図である。
【図３】  本発明による固定装置の第２実施例を示す図である。
【図４】  本発明による固定装置の第３実施例を示す図である。
【図１】
0004308435.tif 000002
【図２】
0004308435.tif 000003
【図３】
0004308435.tif 000004
【図４】
0004308435.tif 000005